(57)【要約】【課題】箱体の開封部を開放した後に、その開封部が開放した状態をより確実に維持できるようにした電子レンジ用包装体を提供することである。【解決手段】前面１１に開放可能な開封部１５が設けられた箱体１０と、蒸気抜き部２１ａ、２１ｂ、２１ｃが形成され、該蒸気抜き部が開封部１５に対向するように箱体１０に収められた包装袋２０とを有する電子レンジ用包装体であって、側面は、第１側面１３ａとそれを挟んで相互に対向する第２側面１３ｂ及び第３側面１３ｄとを少なくとも有し、開封部１５は、非開封部との境界１６から第１側面１３ａの側に開放するものであって、開封部１５の非開封部１６との境界は、前面１１をわたって第２側面１３ｂ及び第３側面１３ｄのそれぞれに続き、第２側面１３ｂ及び第３側面１３ｄのそれぞれと第１側面１３ａ及び裏面１２とが交わる角部に至るように延びている構成となる。【選択図】図８
2011219121.tif 000002
【特許請求の範囲】
【請求項１】
相互に対向する前面及び裏面と該前面及び裏面の縁に連なる側面とを有し、前記前面に開放可能な開封部が設けられた箱体と、蒸気抜き部が形成され、該蒸気抜き部が前記開封部に対向するように前記箱体に収められた包装袋とを有する電子レンジ用包装体であって、
前記側面は、第１側面とそれを挟んで相互に対向する第２側面及び第３側面とを少なくとも有し、
前記開封部は、非開封部との境界から前記第１側面の側に開放するものであって、前記開封部の非開封部との境界は、前記前面をわたって前記第２側面及び前記第３側面のそれぞれに続き、当該第２側面及び第３側面のそれぞれと前記第１側面及び前記裏面とが交わる角部に至るように延びている電子レンジ用包装体。
【請求項２】
前記開封部が開放された状態で、当該電子レンジ用包装体が電子レンジによって加熱される際に、膨張する前記包装袋の第１側面側の端縁の高さが前記箱体の前記側面の高さの２倍以上となる請求項１記載の電子レンジ用包装体。
【請求項３】
前記電子レンジによる加熱が終了した後に、前記包装袋の前記第１側面側の端縁の高さが、前記箱体の前記側面高さの２倍以上に維持される請求項２記載の電磁レンジ用包装体。
【請求項４】
前記包装袋は、前記電子レンジによる加熱時に前記箱体の前記裏面側へ突出する折り返し部を有する請求項１乃至３いずれか記載の電子レンジ用包装体。
【発明の詳細な説明】
【技術分野】
【０００１】
本発明は、蒸気抜き部が形成されて電子レンジでの加熱が可能となるパウチ等の包装袋が箱体に収められた構造となる電子レンジ用包装体に関する。
【背景技術】
【０００２】
従来、電子レンジでの加熱が可能となる逃圧口（蒸気抜き部）の設けられた食品用の包装袋（パウチ）が箱体に収められた構造となる電子レンジ加熱包装体が提案されている（特許文献１参照）。この電子レンジ加熱包装体においては、包装袋に加熱する際の内圧上昇を緩和するための逃圧口（蒸気抜き部）が形成され、その包装袋が、開放可能な切離開封部の形成された箱体に、その逃圧口を前記切離開封部に対向させて収められている。そして、箱体の切離開封部を開放して包装袋の逃圧口を露出させた状態にて、電子レンジにより包装袋内の食品内容物が加熱される。この加熱によって、箱体内の包装袋が膨張して内圧がある限界を超えると、逃圧口から蒸気が噴出し、包装袋内部の圧力が適切に維持されつつ包装袋内の食用内容物が加熱調理される。
【０００３】
また、電子レンジでの加熱が可能な密封包装食品Ｂ（包装袋）が箱体Ａに収められた構造となる他の電子レンジ加熱包装体が提案されている（特許文献２参照）。この電子レンジ加熱包装体では、箱体Ａの天壁１の両側壁３、３間にわたって延びる天壁破断用ライン１１及びその両端から両側壁３、３及び底壁２を通って前壁４に至る側壁破断用ライン３１、底壁破断用ライン２１が破断されることにより箱体Ａが開封されて、内部の密封包装食品（包装袋）Ｂが露出するようになっている。具体的には、前記ライン１１、３１、２１の破断によって切り残った前壁４と底壁２との境界をヒンジにして、天壁１、両側壁３、３及び底壁２に形成されたライン１１、３１、２１から前壁４側の部分が、前壁４と底壁２とが同じ面となるまで回動することによって立ち上がって箱体Ａが開封される。そして、このように開封された箱体Ａとそれから露出する密封包装食品Ｂとが一体となって電子レンジに入れられて、密封包装食品Ｂの加熱がなされる。この場合も、加熱される密封包装食品Ｂの包装袋６には、蒸気逃がし部６２１が形成されており、加熱中に蒸気逃がし部６２１から蒸気が噴出することで、包装袋６内の圧力が適切に維持されつつ、食用内容物が加熱調理される。
【０００４】
前述したような各電子レンジ用包装体によれば、箱体を開封するだけで、箱体から包装袋を取り出すことなく、電子レンジによって前記包装袋内の食品内容物を加熱することができるので、電子レンジによる加熱調理の準備を簡単かつ容易に行うことができる。更に、包装袋が箱体内に収まった状態で電子レンジよる加熱がなされるので、包装袋内の食品内容物を安定した状態で加熱することができる。また、加熱調理終了後も、熱くなったパウチに直接触れずに、箱体を持って電子レンジから安全に取り出すことができる。
【０００５】
また、後者の例の場合（特許文献２参照）、底壁２の前壁４と両側壁３、３に挟まれた両角部分が、回動する部分に含まれて立ち上がるので、箱体Ａが開封された状態で、前記底壁２の両角部分が密封包装食品Ｂの端縁に突き当たるようになる。このため、加熱中に箱体Ａの起き上がった部分が戻ることなく、箱体Ａ内部の包装体６の膨張が妨げられたり、包装袋６の蒸気逃がし部６２１から噴出する蒸気によってその起き上がった部分が湿ってしまったりすることが防止され得る。
【先行技術文献】
【特許文献】
【０００６】
【特許文献１】特開２００１−３９４７６号公報
【特許文献２】特開２００２−０１９７７６号公報
【発明の概要】
【発明が解決しようとする課題】
【０００７】
前述したように、箱体の開封部を開放して包装袋の蒸気抜きの部分（逃圧口）を露出させ、その状態で電子レンジによって包装袋の内容物を加熱することのできる電子レンジ用包装体では、箱体が容易に開放できること、また、開放された開封部が加熱中に戻って包装袋を被い、その膨張を妨げたり、蒸気抜きの部分から噴出する蒸気によって開封部が湿ってしまったりすることを極力防止できるようにすることが重要である。
【０００８】
前述した後者の例（特許文献２参照）では、底壁２の前壁４と両側壁３、３に挟まれた両角部分が、回動する部分に含まれて立ち上がるので、箱体Ａを開封する際に、前記底壁２の両角部分が内部の密封包装食品Ｂの角部分に干渉してしまい、スムーズな箱体Ａの開封ができない場合がある。
【０００９】
本発明は、このような事情に鑑みてなされたもので、箱体のスムーズな開封が妨げられることなく、箱体の開封部を開放した後に、その開封部が開放された状態をより確実に維持できるようにした電子レンジ用包装体を提供するものである。
【課題を解決するための手段】
【００１０】
本発明に係る電子レンジ用包装体は、相互に対向する前面及び裏面と該前面及び裏面の縁に連なる側面とを有し、前記前面に開放可能な開封部が設けられた箱体と、蒸気抜き部が形成され、該蒸気抜き部が前記開封部に対向するように前記箱体に収められた包装袋とを有する電子レンジ用包装体であって、前記側面は、第１側面とそれを挟んで相互に対向する第２側面及び第３側面とを少なくとも有し、前記開封部は、非開封部との境界から前記第１側面の側に開放するものであって、前記開封部の非開封部との境界は、前記前面をわたって前記第２側面及び前記第３側面のそれぞれに続き、当該第２側面及び第３側面のそれぞれと前記第１側面及び前記裏面とが交わる角部に至るように延びている構成となる。
【００１１】
このような構成により、包装袋の収められた箱体の開封部は、非開封部との境界より内側の第１側面に続く前面、第２側面及び第３側面のそれぞれの部分を含むので、その開封部を非開封部との境界から第１側面の側に開放する際に、該開封部は、第１側面、第２側面及び裏面が交わる角部と、第１側面、３側面及び裏面が交わる角部を結ぶ直線である第１側面と裏面との境界をヒンジのようにして回動しつつ開放される。前記開封部の非開封部分との境界が第２側面及び第３側面のそれぞれと第１側面及び裏面とが交わる角部に至るようになっているので、開封部が開放される際に、内部の包装袋と開封部とが干渉することはない。このようにして開封部が開放された箱体から部分的に露出する包装袋は、電子レンジにより加熱されると、内部で発生する水蒸気により膨張し、その内圧がある限度を超えると、水蒸気が蒸気抜き部から噴出する。よって、包装袋内の内容物が適度な圧力にて加熱調理され得る。
【００１２】
本発明に係る電子レンジ用包装体において、前記開封部が開放された状態で、当該電子レンジ用包装体が電子レンジによって加熱される際に、膨張する前記包装袋の第１側面側の端縁の高さが前記箱体の前記側面の高さの２倍以上となる構成とすることができる。
【００１３】
このような構成により、電子レンジの加熱により第１側面側の端縁の高さが箱体の側面の高さの２倍以上となるように膨張した包装袋の当該端縁によって箱体の開封部が効果的に支えられるので、加熱中に蒸気抜き部から蒸気が噴出する包装袋に開封部が被いかぶさることを確実に防止することができ、その結果、加熱中に包装袋の蒸気抜き部から噴出する蒸気によって開封部が湿ってしまうことを確実に防止することができるようになる。
【００１４】
また、本発明に係る電子レンジ用包装体において、前記電子レンジによる加熱が終了した後に、前記包装袋の前記第１側面側の端縁の高さが、前記箱体の前記側面高さの２倍以上に維持されるように構成とすることができる。
【００１５】
このような構成により、電子レンジによる加熱が終了した後に、第１側面側の端縁の高さが箱体の側面の高さの２倍以上に維持される包装袋の当該端縁によって箱体の開封部が効果的に支えられるので、加熱後の包装袋に開封部が被いかぶさることを確実に防止することができ、その結果、箱体から包装袋の取出しが被いかぶさる開封部によってし難くなってしまうことを防止することができる。
【００１６】
更に、本発明に係る電子レンジ用包装体において、前記包装袋は、前記電子レンジによる加熱時に前記箱体の前記裏面側へ突出する折り返し部を有する構成とすることができる。
【００１７】
このような構成により、電子レンジによる加熱時に、包装袋の折返し部が箱体の裏面側に突出するので、蒸気抜き部が形成された部分がせり上がって、蒸気が噴出する際に内容物が誤って吹きこぼれるのを防止できる。また、このせり上がった部分に近い包装袋の第１側面側の端縁によって、開放された開封部が戻って包装袋に被いかぶさることを防止することができる。
【発明の効果】
【００１８】
本発明に係る電子レンジ用箱入り包装袋によれば、開封部が、第１側面、第２側面及び裏面が交わる角部と、第１側面、３側面及び裏面が交わる角部を結ぶ直線である第１側面と裏面との境界をヒンジのようにして回動しつつ開放すると、開封部の表面、第２側面及び第３側面のそれぞれの部分につながる第１側面が前記ヒンジを軸に外側に傾いた状態となるので、その第１側面につながる各部分の重さによって当該開封部が戻り難い。また、加熱時に膨張する包装袋によって、開封部の開放時に外側に傾いた第１側面がもとの状態に戻ることが妨げられるようになる。よって、箱体の開封部を開放した後に、その開封部が開放された状態をより確実に維持できるようになる。更に、開封部が開放される際に、内部の包装袋と開封部とが干渉することがないので、箱体のスムーズな開封も妨げられることがない。
【図面の簡単な説明】
【００１９】
【図１】本発明の実施の形態に係る電子レンジ用包装体の外観を示す斜視図である。
【図２】図１に示す電子レンジ用包装体に用いられる箱体の展開図である。
【図３】箱体に形成された開封部の詳細構造を示す部分拡大展開図である。
【図４】図１に示す電子レンジ用包装体の断面構造を示す断面図である。
【図５】図１に示す電子レンジ用包装体の箱体の開封部を開放した状態を示す斜視図である。
【図６】図１に示す電子レンジ用包装体の箱体の開封部を開放した状態を示す側面図である。
【図７】箱体内に納められるパウチの膨張した状態を示す斜視図である。
【図８】図５に示す状態の電子レンジ用包装体を電子レンジにて加熱している際の状態を示す斜視図である。
【図９】図５に示す状態の電子レンジ用包装体を電子レンジにて加熱している際の状態を示す側面図である。
【図１０】図５に示す状態の電子レンジ用包装体を電子レンジにて加熱し終えた際の状態を示す側面図である。
【発明を実施するための形態】
【００２０】
以下、本発明の実施の形態について図面を用いて説明する。
【００２１】
本発明の実施の一形態に係る電子レンジ用包装体は、図１及び図２に示すように構成される。なお、図１は、電子レンジ用包装体の外観を示す斜視図であり、図２は、図１に示す電子レンジ用包装体に用いられる箱体の展開図である。
【００２２】
図１において、この電子レンジ用包装体に用いられる箱体（化粧箱）１０は、紙製（例えば、コートボール紙３１０ｇ／ｃｍ2等）であって、相互に対向する矩形形状の前面１１及び裏面１２と、前面１１及び裏面１２の各縁に連なる上側面１３ａ、横側面１３ｂ、下側面１３ｃ及び横側面１３ｄの４つの側面とから形成されている。そして、図１には表れていないが、箱体１０内には、プラスチック製シートにて形成され、食品等の内容物が充填された所謂平袋タイプの電子レンジ用のパウチ２０（包装袋）が収められている（後述する図４乃至図７参照）。
【００２３】
箱体１０は、図２に示す展開紙から組み立てられる。この展開紙は、矩形形状（長方形状）の前面１１及び裏面１２、短冊形状の上側面１３ａ、一方の横側面１３ｂ、下側面１３ｃ、他方の横側面１３ｄ、糊代（糊付け面）１４ａａ、１４ｂ、１４ｃａ、及び折り片１４ａｂ、１４ａｃ、１４ｃｂ、１４ｃｃからなっている。この展開紙を折り曲げ接着することで、図１に示すように、相互に対向する前面１１、裏面１２と、相互に対向する上側面１３ａ、下側面１３ｃ及び相互に対向する２つの横側面１３ｂ、１３ｄの４つの側面とによって扁平直方体形状となる箱体１０が形成される。具体的には、横側面１３ｂから突出する糊代１４ｂを裏面１２の裏側に接着することにより、前面の縁に連なる横側面１３ｂが裏面１２に接合される。そして、折り片１４ａｂ、１４ａｃ、１４ｃｂ、１４ｃｃを内側に折り込みつつ糊代１４ａａを上側面１３ａの裏側に接着するとともに、糊代１４ｃａを下側面１３ｃの裏側に接着することにより、前面１１及び裏面１２に上側面１３ａ、下側面１３ｃ及び横側面１３ｂ、１３ｄの４つの側面が接合して、箱体１０が形成される。図２に示す展開紙を図１に示す箱体１０に組み立てたときに、上側面１３ａと裏面１２との境界となる裏面１２と糊代１４ａａとの境界にミシン目線１８が形成されている。このミシン目線１８によって上側面１３ａと裏面１２との境界においてそれら上側面１３ａ及び裏面１２を元に戻す力が弱められる（復元弱化部）。
【００２４】
また、図１とともに図２及び図３を参照するに、箱体１０の前面１１から上側面１３ａ（第１側面）を挟む両横側面１３ｂ（第２側面）及び１３ｄ（第３側面）にかけて開放可能な開封部１５が形成されている。開封部１５の非開封部との境界１６には切込み線が連なった切込み線列が形成されており、この切込み線列の非切込み部分が連鎖的に切れることによって開封部１５が境界１６から上側面１３ａの方向に開放する。開封部１５の非開封部との境界１６は、前面１１において上側面１３ａの側に開口する略Ｖ字状となる第１部分１６１と、当該第１部分１６１の一方の端部に続いて前面１１から一方の横側面１３ｂに延びて当該横側面１３ｂと上側面１３ａ及び裏面１２とが交わる角部Ｃ１に至る第２部分１６２と、第１部分１６１の他方の端部に続いて前面１１から他方の横側面１３ｄに延びて当該横側面１３ｄと上側面１３ａ及び裏面１２とが交わる角部Ｃ２に至る第３部分１６３とからなっている。箱体１０の展開紙上において、境界１６の第１部分１６１と第２部分１６２とは直線的に続き、第１部分１６１と第３部分１６３とも直線的に続いている。このため、開封部１５の非開封部との境界１６の切込み線列を箱体１０に比較的容易に形成することができる。
【００２５】
開封部１５の非開封部との境界１６のＶ字状になる第１部分１６１の頂部の内側には指掛け部１７が形成されている。指掛け部１７はミシン目線１７ａによって画されるともに、切込み線１７ｂが形成されている。これにより、指掛け部１７は、指によって前面１１の内側に押し込むことができるようになっている。
【００２６】
箱体１０に収められた平袋タイプのパウチ２０は、図４、図５、及び図６に示すように、縁部に蒸気抜き部２１ａ、２１ｂ、２１ｃが並んで形成されている。各蒸気抜き部２１ａ、２１ｂ、２１ｃは、例えば、特開２００２−２４９１７６号公報に記載されるように、孔（弱化部）の周りがシールされた構造となって、パウチ２０の内圧が限界を超えると、その蒸気抜き部２１ａ、２１ｂ、２１ｃ（孔）から蒸気が噴出するようになっている。なお、蒸気抜き部２１ａ、２１ｂ、２１ｃの構造としては、上述したものに限らず、パウチ２０の縁辺シール部の所定部位を、狭幅とする、内側に突出させる、易剥離性フィルムを挟んでシールするなどして、パウチ１０の内圧が上昇した際に前記所定部位のシールが優先的に剥離するようにしたもの、マイクロ波の照射で発熱する発熱体をフィルム材（シート）に貼り付け、該フィルム材が溶融、もしくはシール強度が低下して蒸気が抜けるようにしたものなど、公知のものを適用することができる。
【００２７】
パウチ２０は、蒸気抜き部２１ａ、２１ｂ、２１ｃが前面１１に形成された開封部１５に対向するように箱体１０に収められている。また、このパウチ２０は、開封部１５に対応した部位に内圧上昇によって裏面１２側に突出する折返し部２２が形成されている。この折返し部２２は、パウチ２０が膨張した際に突出するようになっており、その詳細な構造は、特開２００６−６２６７２号公報に記載されている。
【００２８】
このように箱体１０に収められたパウチ２０の内容物を電子レンジにて加熱する場合について説明する。
【００２９】
箱体１０の開封部１５の指掛け部１７を内方に押し込んで形成される孔に指を引っかけて引き上げることで、開封部１５の非開封部との境界１６である前面１１の第１部分１６１、一方の横側面１３ｂの第２部分１６２及び他方の横側面１３ｄの第３部分１６３のそれぞれに形成された切込み線列が順次切れて、開封部１５は、その非開封部との境界１６から上側面１３ａの方向に開放される。このとき、図５及び図６に示すように、開封部１５は、上側面１３ａ、一方の横側面１３ｂ及び裏面１２が交わる角部Ｃ１と、上側面１３ａ、他方の横側面１３ｄ及び裏面１２が交わる角部Ｃ２と結ぶ直線で、ミシン目線１８の形成された上側面１３ａと裏面１２との境界をヒンジのようにして回動しつつ開放される。開封部１５が開放されると、パウチ２０の蒸気抜き部２１ａ、２１ｂ、２１ｃの形成された部分、すなわちパウチ２０の上側面１３ａ側の縁部が露出する。
【００３０】
このようにして開封部１５が開放された箱体１０からパウチ１０の蒸気抜き部２１ａ、２１ｂ、２１ｃの形成された部分が露出した状態の電子レンジ用包装体は、そのままの状態で電子レンジ内にセットされる。電子レンジによってパウチ２０内の食品内容物が加熱されると、加熱された食品内容物から発生する水蒸気によってパウチ２０が、図７に示すように、膨張し、箱体１０の裏面１２に当接した折返し部２２が拡張して突出する。パウチ２０の膨張及びその折返し部２２の突出によって、図８、及び図９に示すように、箱体１０内でパウチ２０の蒸気抜き部２１ａ、２１ｂ、２１ｃの形成された部分がせり上がる。これら蒸気抜き部２１ａ、２１ｂ、２１ｃの形成された縁部の端縁は、箱体１０の上側面１３ａ側に向けられており、例えば、この電子レンジの加熱によって膨張するパウチ２０の上側面１３ａ側の端縁の高さβ１が、箱体１０の側面の高さαの２倍以上となるように、パウチ２０の形状及び容量や折返し部２２の構造等が決められている。図９に示すように膨張するパウチ２０の内圧がある限度を超えると、パウチ２０のせり上がった部分に形成された蒸気抜き部２１ａ、２１ｂ、２１ｃから水蒸気が噴出し、パウチ２０の食品内容物が適度な圧力によって加熱調理される。
【００３１】
電子レンジによる加熱が終了すると、パウチ２０内での蒸気の発生が止まり、蒸気抜き部２１ａ、２１ｂ、２１ｃが蒸気抜けの抵抗となるものの、内圧が徐々に低下してパウチ２０が収縮していく。その際、突出した折返し部２２は折り返しが反転して元に戻りにくくなっており、加熱終了後も、図１０に示すように、パウチ２０の蒸気抜き部２１ａ、２１ｂ、２１ｃの形成された部分のせり上がった状態が維持される。
【００３２】
前述したようにして開放された開封部１５は、表面１１及び両横側面１３ｂ、１３ｄのそれぞれの部分につながる上側面１３ａが裏面１２との境界をヒンジとして外方に倒れた状態になるので、上側面１３ａがそれにつながる各部分の重さによってもとの状態に戻り難いものとなっている。更に、上側面１３ａと裏面１２との境界にミシン目線１８が形成されて、その境界にいて上側面１３ａ及び裏面１２を元に戻す力が弱くなることからも開封部１５が戻って、パウチ２０に触れるようにはならない。また、膨張するパウチ２０によって裏面１２の中央部分が押えつけられながら前面１１の非開封部部分の中央部分が盛り上がり、この前面１１の盛り上がりにつられた両横側面１３ｂ、１３ｄのつり上がりによって裏面１２の両横側面１３ｂ、１３ｄとの隣接部分がつり上がって、裏面１２が湾曲するようになる。この裏面１２の湾曲によってそれに続く上側面１３ａが立ち上がり難くなる。更に、膨張するパウチ２０によっても外側に倒れた上側面１３ａがもとの状態に戻ることが妨げられる。これらのことによって、パウチ２０内の食品内容物が加熱調理されている間、開放された開封部１５がその開放された状態をより確実に維持できるようになる。
【００３３】
更に、電子レンジによる加熱中に、膨張するパウチ２０の上側面１３ａ側の端縁の高さβ１が、箱体１０の側面の高さαの２倍以上となり（図９参照）、仮に開封部１５が被いかぶさってきても、パウチ２０の端縁がせり上がることによって押し戻すことができる。パウチ２０がせり上がっていく間は蒸気の噴出は始まらないので、この間に開封部が蒸気によって湿ることもない。また加熱が終了した後もせり上がった状態が維持されるので、開放した開封部１５がパウチ２０に被いかぶさることを更に確実に防止することができるようになる。このように蒸気抜き部を設けた端縁がせり上がる作用を有するパウチとしては、特開２００６−６２６７２号公報記載のものの他に、例えば、特開２００３−８１３６０号公報記載のように、分岐部に蒸気抜き部を設けたパウチも適用できる。
【００３４】
このように、本発明の実施の形態に係る電子レンジ用包装体によれば、開封部１５が開放されて箱体１０から蒸気抜き部２１ａ、２１ｂ、２１ｃの部分が露出するパウチ２０内の食品内容物が電子レンジによって加熱される際に、開封部１５がその開放された状態を確実に維持できるようになるので、開封部１５によってパウチ２０の膨張が妨げられたり、蒸気抜きの部２１ａ、２１ｂ、２１ｃから噴出する蒸気によって開封部１５が湿ってしまったりすることを確実に防止することができる。また、開封部１５を開放する際に、箱体１０内部のパウチ２０と開封部１５とが干渉することがないので、箱体１０の開封も引っ掛かりなくスムーズに行うことができるようになる。
【００３５】
本発明の実施の形態に係る電子レンジ用包装体では、開封部１５の非開封部との境界１６の横側面１３ｂ、１３ｄに形成された第２部分１６２、第３部分１６３は、前面１１との境界から角部Ｃ１、Ｃ２まで直線になっていたが、これら第２部分１６２、第３部分は、前記角部Ｃ１、Ｃ２までの曲線であっても、折れ線であってもよい。
【００３６】
また、開封部１５の非開封部との境界１６に切込み線列を形成して開封部１５が境界１６から開放するようになっていたが、開口のある箱体に、開封部１５に相当する部分を貼り付けて全体としての箱体１０を形成するようにしてもよい（２００９−５１５６２号公報参照）。この場合、貼り付けられた部分をはがすことによって開封部が境界１６から上側面１３ａの方向に開放されるようになる。
【産業上の利用可能性】
【００３７】
以上、説明したように、本発明に係る電子レンジ用包装体は、箱体の開封部を開放した後に、その開封部が開放された状態をより確実に維持できるようになるという効果を有し、蒸気抜き部が形成されて電子レンジでの加熱が可能となるパウチ等の包装袋が箱体に収められた構造となる電子レンジ用包装体として有用である。
【符号の説明】
【００３８】
１０  箱体
１１  前面
１２  裏面
１３ａ  上側面（第１側面）
１３ｂ  横側面（第２側面）
１３ｃ  下側面
１３ｄ  横側面（第３側面）
１５  開封部
１６  境界
１６１  第１部分
１６２  第２部分
１６３  第３部分
１８  ミシン目
１４ａａ、１４ｃａ  糊代
１４ｂ  糊代
１４ａｂ、１４ａｃ、１４ｃｂ、１４ｃｃ  折り片
２０  パウチ（包装袋）
２１ａ、２１ｂ、２１ｃ  蒸気抜き部
２２  折返し部
【図１】
2011219121.tif 000003
【図２】
2011219121.tif 000004
【図３】
2011219121.tif 000005
【図４】
2011219121.tif 000006
【図５】
2011219121.tif 000007
【図６】
2011219121.tif 000008
【図７】
2011219121.tif 000009
【図８】
2011219121.tif 000010
【図９】
2011219121.tif 000011
【図１０】
2011219121.tif 000012